(57)【要約】      （修正有）【課題】従来のブラジャーよりも、胸の揺れを抑制することができる左右一体型胸パッドおよび左右一体型胸パッドが設けられた衣類を提供する。【解決手段】肌側に配置される肌面生地１１と、前記肌面生地１１に積層される弾性層１２と、前記弾性層１２に積層される外面生地１３と、を有する多層構造の左右一体型胸パッド１０であって、左右乳房を覆う位置である胸当部を有し、前記胸当部における膨らみ部位の膨らみ高さｈが左右幅方向で直線状であることを特徴とする。また、上記記載の左右一体型胸パッドが設けられた衣類である。【選択図】図１Ｃ
0003204056.tif 000002
【実用新案登録請求の範囲】
【請求項１】
肌側に配置される肌面生地と、
前記肌面生地に積層される弾性層と、
前記弾性層に積層される外面生地と、を有する多層構造の左右一体型胸パッドであって、
左右乳房を覆う位置である胸当部を有し、
前記胸当部における膨らみ部位の膨らみ高さが左右幅方向で直線状であることを特徴とする、左右一体型胸パッド。
【請求項２】
前記前記胸当部の少なくとも左右ニップルおよび乳房の谷間のそれぞれを中心にして上下方向の断面視が台形状であり、左右乳房の谷間の位置において谷間に沿ったくぼみ形状を有さない形状である、請求項１に記載の左右一体型胸パッド。
【請求項３】
前記胸当部の少なくとも左右ニップルを直線でつないだ位置の左右方向断面視が台形状であり、左右乳房の谷間の位置において谷間に沿ったくぼみ形状を有さない形状である、請求項１または２に記載の左右一体型胸パッド。
【請求項４】
前記左右一体型胸パッドは、
前記肌面生地と前記弾性層と前記外面生地とが積層された上パーツと、
前記肌面生地と前記弾性層と前記外面生地とが積層された下パーツと、
前記左右一体型胸パッドは、前記肌面生地と前記弾性層と前記外面生地とが積層された上パーツと、前記肌面生地と前記弾性層と前記外面生地とが積層された下パーツと、
前記上パーツの下端と前記下パーツの上端とを対向配置させた部位を覆うように前記肌面生地に配置される肌面側テープと、
前記上パーツの下端と前記下パーツの上端とを対向配置させた部位を覆うように前記外面生地に配置される外面側テープと、を有する、請求項１〜３のいずれか１項に記載の左右一体型胸パッド。
【請求項５】
前記上パーツの下端が凹状の円弧状であり、
前記下パーツの上端が当該上パーツの下端の円弧状に合せて凹状の円弧状であり、
前記肌面側テープが前記上パーツの下端および下パーツの上端に沿った形状である、請求項４に記載の左右一体型胸パッド。
【請求項６】
前記左右一体型胸パッドは、左右幅方向の下端が直線形状であって、当該下端の中部位が左右乳房の谷間に応じた欠け形状を有する、請求項１〜５のいずれか１項に記載の左右一体型胸パッド。
【請求項７】
前記左右一体型胸パッドは、左右乳房部位から肩方向に向かって伸びる左右一対の延設部位を有する、請求項１〜６のいずれか１項に記載の左右一体型胸パッド。
【請求項８】
前記肌面生地は、撥水加工された編み構造の生地であり、
前記弾性層は、連泡タイプのポリウレタンフォームであり、
前記外面生地は、吸汗加工された編み構造の生地である、請求項１〜７のいずれか１項に記載の左右一体型胸パッド。
【請求項９】
前記肌面側テープは、撥水加工されたパワーネット生地である、請求項１〜８のいずれか１項に記載の左右一体型胸パッド。
【請求項１０】
請求項１〜９のいずれか１項に記載の左右一体型胸パッドが設けられた衣類。
【請求項１１】
前記衣類の本体は、パワーネット生地であり、前記本体の端部が、前記本体のパワーネット生地よりも柔らかいパワーネット生地で構成されている、請求項１０に記載の衣類。
【請求項１２】
前記衣類がブラジャーであり、
前記ブラジャーの本体は、パワーネット生地であり、
前記本体の胸、背、肩・脇のそれぞれ部位の端部は、前記本体のパワーネット生地よりも柔らかいパワーネット生地で構成され、
前記本体のアンダーバスト部位に伸縮ゴムが内部に設けられ、少なくとも肌側が前記本体のパワーネット生地よりも柔らかいパワーネット生地で構成されている、請求項１０に記載の衣類。
【考案の詳細な説明】
【技術分野】
【０００１】
本考案は、左右一体型胸パッドおよびその左右一体型胸パッドを備える衣類に関する。衣類としては、スポーツタイプのブラジャー、タンクトップなどがある。
【背景技術】
【０００２】
従来から、左右連結されたパッドがブラジャー本体のポケット部に挿入された構成のブラジャーがある(特許文献１参照)。このパッドは、胸の形を整えることを目的としており、左右のバスト形状に合わせた型押成形品であって、左右の対となる山部が継ぎ手部を介して一体的になっている。
【０００３】
また、現在市販されている多くのスポーツタイプのブラジャーにおいても、胸の形を美しく見せることをコンセプトに開発されているため、左右が分離した一対の立体成型の左パットおよび右パッドがブラ本体の左ポケットおよび右ポケットに設けられている。
【先行技術文献】
【特許文献】
【０００４】
【特許文献１】実開昭６３−８５６０６号公報
【考案の概要】
【考案が解決しようとする課題】
【０００５】
しかしながら、上記特許文献１のパッドおよび市販のスポーツタイプのブラジャーは、いずれも胸の形を美しく見せて、形を整えることを目的としているため乳頭の高さを高くしたが故に、運動中においては乳房の揺れが大きくなり、運動に集中できないなどの問題があった。あるいは、乳房の揺れを抑制するため締め付け力を強めたものがあるが、強めたことで長時間の着用で苦しさを着用者に与えてしまうという問題があった。
【０００６】
本考案は、上記問題に鑑みてなされたものであって、その目的は、従来のブラジャーよりも、胸の揺れを抑制することができる左右一体型パッドおよびその左右一体型パッドを備える衣類を提供することにある。
【課題を解決するための手段】
【０００７】
本考案は、肌側に配置される肌面生地と、前記肌面生地に積層される弾性層と、前記弾性層に積層される外面生地と、を有する多層構造の左右一体型胸パッドであって、左右乳房を覆う位置である胸当部を有し、前記胸当部における膨らみ部位の膨らみ高さが左右幅方向で直線状であることを特徴とする。
【０００８】
前記胸当部の少なくとも左右ニップルおよび乳房の谷間のそれぞれを中心にして上下方向の断面視が台形状であり、左右乳房の谷間の位置において谷間に沿ったくぼみ形状を有さない形状である。
さらに、前記胸当部の少なくとも左右ニップルを直線でつないだ位置の左右方向断面視が台形状であり、左右乳房の谷間の位置において谷間に沿ったくぼみ形状を有さない形状であることが好ましい。
【０００９】
前記左右一体型胸パッドは、前記肌面生地と前記弾性層と前記外面生地とが積層された上パーツと、前記肌面生地と前記弾性層と前記外面生地とが積層された下パーツと、前記上パーツの下端と前記下パーツの上端とを対向配置させた部位を覆うように前記肌面生地に配置される肌面側テープと、前記上パーツの下端と前記下パーツの上端とを対向配置させた部位を覆うように前記外面生地に配置される外面側テープと、を有する構造であってもよい。
【００１０】
前記上パーツの下端が凹状の円弧状であり、前記下パーツの上端が当該上パーツの下端の円弧状に合せて凹状の円弧状であり、前記肌面側テープが前記上パーツの下端および下パーツの上端に沿った形状であってもよい。
【００１１】
前記左右一体型胸パッドは、左右幅方向の下端が直線形状であって、当該下端の中央部位が左右乳房の谷間に応じた欠け形状を有する構造であってもよい。
【００１２】
前記左右一体型胸パッドは、左右乳房部位から肩方向に向かって伸びる左右一対の延設部位を有する構造であってもよい。
【００１３】
前記肌面生地は、撥水加工された編み構造の生地であり、前記弾性層は、連泡タイプのポリウレタンフォームであり、前記外面生地は、吸汗加工された編み構造の生地（例えば、吸汗トリコットなど）であってもよい。
【００１４】
前記肌面側テープは、撥水加工されたパワーネット生地であってもよい。
【００１５】
他の考案は、上記記載の左右一体型胸パッドが設けられた衣類である。衣類としては、例えば、ブラジャー、水着、タンクトップ、キャミソール、シャツなどが例示される。特に本考案では、スポーツタイプのブラジャー、タックトップ、水着などに好適である。
【００１６】
また、上記衣類の本体は、パワーネット生地であり、前記本体の端部が、前記本体のパワーネット生地よりも柔らかいパワーネット生地で構成されていることが好ましい。
【００１７】
上記衣類がブラジャーである場合、前記ブラジャーの本体は、パワーネット生地であり、前記本体の胸、背、肩・脇のそれぞれ部位の端部は、前記本体のパワーネット生地よりも柔らかいパワーネット生地で構成され、前記本体のアンダーバスト部位に伸縮ゴムが内部に設けられ、少なくとも肌側が前記本体のパワーネット生地よりも柔らかいパワーネット生地で構成されていることが好ましい。
【考案の効果】
【００１８】
多層構造の左右一体型胸パッドは、従来のブラジャーよりも胸の揺れを抑制することができる。
【図面の簡単な説明】
【００１９】
【図１Ａ】多層構造の左右一体型胸パッドの外面図である。
【図１Ｂ】多層構造の左右一体型胸パッドの肌側図である。
【図１Ｃ】多層構造の左右一体型胸パッドの左右幅方向の断面図である。
【図２Ａ】ブラジャーの正面図である。
【図２Ｂ】ブラジャーの乳房側図である。
【図２Ｃ】ブラジャーの背面図である。
【考案を実施するための形態】
【００２０】
（実施形態１）
本実施形態１の多層構造の左右一体型胸パッドについて、図面を参照しながら説明する。なお、本考案は、この多層構造の左右一体型胸パッドに限定されない。
【００２１】
図１Ａは多層構造の左右一体型胸パッドの外面図(正面図)である。図１Ｂは多層構造の左右一体型胸パッドの肌側図である。図１Ｃは多層構造の左右一体型胸パッドの左右幅方向の断面図である。
【００２２】
多層構造の左右一体型胸パッド１は、肌側に配置される肌面生地１１と、肌面生地１１に積層される弾性層１２と、弾性層１２に積層される外面生地１３とを有する。左右一体型胸パッド１は、左右乳房を覆う位置である胸当部Ｐ１３を有する。左右一体型胸パッド１は、左右乳房部位から肩方向に向かって伸びる左右一対の延設部位Ｐ１１，Ｐ１２を有する。
【００２３】
左右一体型胸パッド１は、肌面生地１１と弾性層１２と外面生地１３とが積層された上パーツＰ１と、肌面生地１１と弾性層１２と外面生地１３とが積層された下パーツＰ２とを有する。上パーツＰ１の下端と下パーツＰ２の上端とを対向配置させた部位を覆うように、肌面生地１１に肌面側テープ１５が配置され、外面生地１３に外面側テープ１４が配置される。上パーツＰ１と下パーツＰ２を対向させた状態で肌面側テープ１５および外面側テープ１４をあてて、それらを一体に縫製加工することで上パーツＰ１と下パーツＰ２とが連結されている。図１Ａ、１Ｂにおいて、上パーツＰ１の下端と、下パーツＰ２の上端が対向しており破線で表されている。上パーツＰ１の下端が凹状の円弧状であり、下パーツＰ２の上端が上パーツＰ１の下端の円弧状に合せて凹状の円弧状であり、肌面側テープ１５が上パーツＰ１の下端および下パーツＰ２の上端に沿った形状である。これによって、型押し成形することなく、左右一体型胸パッド１を半円筒状の立体形状にすることができる。
【００２４】
左右一体型胸パッド１（下パーツＰ２）は、左右幅方向の下端Ｐ２１が直線形状である。この下端Ｐ２１の中央部位が左右乳房の谷間に応じた欠け形状Ｐ２１ａを有する。これにより、谷間における熱や蒸れを素早く逃がすことができる。
【００２５】
図１Ｃは、図１ＡのＤ−Ｄ’断面図である。Ｄ−Ｄ’線の部位は、胸当部Ｐ１３のうち、膨らみ部位の膨らみ高さｈが最も高い位置である。胸当部Ｐ１３の少なくとも左右ニップルおよび乳房の谷間のそれぞれを中心にして上下方向の断面視が台形状であり、左右乳房の谷間の位置において谷間に沿ったくぼみ形状を有さない形状である。また、胸当部Ｐ１３の少なくとも左右ニップルを直線でつないだ位置の左右方向断面視が台形状であり、左右乳房の谷間の位置において谷間に沿ったくぼみ形状を有さない形状である。図１Ｃに示すように、胸当部Ｐ１３における膨らみ部位の膨らみ高さｈが左右幅方向Ｐ１１１で直線状である。また図１Ａ，１Ｃにおいて、Ａ−Ａ’位置は右乳房中心位置（ニップル）に相当し、Ｂ−Ｂ’位置は左右乳房間（胸の谷間）の中心位置に相当し、Ｃ−Ｃ’位置は左乳房中心位置（ニップル）に相当する。Ａ−Ａ’線とＤ−Ｄ’線上の交差部位、Ｃ−Ｃ’線とＤ−Ｄ’線上の交差部位あるいはこれらの付近に左右ニップルが実質的に配置される。
【００２６】
肌面生地１１は、撥水加工された編み構造の生地である。弾性層１２は、連泡タイプのポリウレタンフォームである。外面生地１３は、吸汗加工された編み構造の生地である。肌面側テープ１５は、撥水加工されたパワーネット生地である。これによい、汗や湿気を肌面生地１１から連泡タイプのポリウレタンフォームを介し吸汗加工された編み構造の生地までスムーズに移行させることができ、熱や汗による不快感を抑制できる。
【００２７】
(作用効果)
本実施形態の左右一体型胸パッドによれば、さらしのように面で乳房全体を押さえつけてホールドすることで、左右の乳房の揺れを効果的に抑制できる。激しい運動においても、従来の左右分離した左パッド・右パッドや、左右一型であっても乳房および谷間の形状に合わせた２カップ型のパッドよりも、乳房の揺れを抑制できる。
【００２８】
（実施形態２）
多層構造の左右一体型胸パッドを備える衣類について、図面を参照しながら説明する。なお、本実施形態の衣類がブラジャーとして説明するが、本考案の衣類はブラジャーに限定されない。
【００２９】
図２Ａは、ブラジャー２の正面図である。図２Ｂは、ブラジャー２の乳房側図（裏側図）である。図２Ｃはブラジャー２の背面図である。ブラジャー２の本体２１は、パワーネット生地である。本体２１の胸端部２ａ、背端部２ｅ、右肩・脇端部２ｂ、右肩・脇端部２ｃは、本体のパワーネット生地よりも柔らかいパワーネット生地で構成されている。また、本体２１のアンダーバスト部位２ｆに伸縮ゴムが内部に設けられ、肌側の部位は本体２１のパワーネット生地よりも柔らかいパワーネット生地で構成されている。これにより、肌と面接触するよりも線接触するように感じる部位の生地を柔らかい構成にすることで、肌に対する当たり感あるいは締め付け感を緩和して着心地をよくしている。
【００３０】
左右一体型胸パッド１は、ブラジャー２のバスト側に肌面生地１１が肌側に直接当たるように縫製されている。肌面生地が直接乳房に当たることで、上記のとおり、汗や湿気を肌面生地１１から連泡タイプのポリウレタンフォーム１２を介し吸汗加工された編み構造の生地１３までスムーズに移行させることができ、熱や汗による不快感を抑制できる。
【００３１】
（別実施形態）
衣類としては、ブラジャーに限定されず、水着、タンクトップ、キャミソール、シャツなどであってもよい。
【符号の説明】
【００３２】
１      左右一体型胸パッド
１１    肌面生地
１２    弾性層
１３    外面生地
２      ブラジャー
【図１Ａ】
0003204056.tif 000003
【図１Ｂ】
0003204056.tif 000004
【図１Ｃ】
0003204056.tif 000005
【図２Ａ】
0003204056.tif 000006
【図２Ｂ】
0003204056.tif 000007
【図２Ｃ】
0003204056.tif 000008